(57)【要約】【課題】帳票等の原稿からの画像の取り込みに際し、取り込みミスや重複取り込みを防止する。【解決手段】読み取り対象２が載置される原稿載置部３と、該原稿載置部３に載置された読み取り対象２を撮像して画像データを取得する画像入力部４と、原稿載置部３上の読み取り対象２にこれと交差する方向への力が加わることにより操作されるスイッチ５と、該スイッチ５からの信号によって前記画像入力部４の画像データ取得動作を制御する制御部６とを有する。【選択図】図１
2018174424.tif 000002
【特許請求の範囲】
【請求項１】
読み取り対象が載置される原稿載置部と、
該原稿載置部に載置された読み取り対象を撮像して画像データを取得する画像入力部と、
前記原稿載置部上の読み取り対象に読み取り対象と交差する方向への力が加わることにより操作されるスイッチと、
該スイッチからの信号によって前記画像入力部の画像データ取得動作を制御する制御部と、を有する画像入力装置。
【請求項２】
前記スイッチは、前記読み取り対象が前記力によって変形する際にその力によって操作される、
請求項１に記載の画像入力装置。
【請求項３】
前記原稿載置部における前記読み取り対象が設けられる領域に凹部が設けられ、この凹部と重なる位置に前記スイッチが設けられた、
請求項１または２のいずれか１項に記載の画像入力装置。
【請求項４】
前記スイッチは、前記読み取り対象の前記原稿載置部と反対側の面に押し付けられる部材に設けられ、該部材の前記読み取り対象に押し付けられる面には、凹部およびまたは凸部が設けられた、
請求項１または２のいずれか１項に記載の画像入力装置。
【請求項５】
前記スイッチは、先端が先細り状の操作部材を前記読み取り対象に押し付けることによって操作される、
請求項１〜３のいずれ１項に記載の画像入力装置。
【請求項６】
前記スイッチは、前記読み取り対象が前記力によって破れる際にその力によって操作される、
請求項２〜５のいずれか１項に記載の画像入力装置。
【請求項７】
前記原稿載置部には、スイッチの位置を示す表示部が設けられた、請求項１〜３、５のいずれか１項に記載の画像入力装置。
【請求項８】
前記制御部は、前記スイッチから信号が入力された後、所定時間経過後に前記画像入力部に画像入力を開始させる、請求項１〜７のいずれか１項に記載の画像入力装置。
【請求項９】
原稿載置部に載置された読み取り対象を撮像して画像データを取得する撮影工程と、
前記原稿載置部上の読み取り対象と交差する方向への力が加わることを検出する荷重検出工程と、
該力が加わったか否かの信号によって前記画像データの取得を制御する制御工程と、
を有する画像入力方法。
【請求項１０】
読み取り対象が載置される原稿載置部に載置された読み取り対象を撮像して画像データを取得する画像入力部を制御する制御部に制御信号を入力する入力装置であって、
前記原稿載置部上の読み取り対象と交差する方向への力が加わることにより操作されるスイッチと、
前記読み取り対象に接触することによって前記スイッチを操作する接触部と、
を有する入力装置。
【発明の詳細な説明】
【技術分野】
【０００１】
本発明は、原稿上の記述情報をイメージ画像データとして取り込む画像入力装置、画像入力方法、及びこれらに用いられる入力装置に関する。
【背景技術】
【０００２】
例えば金融機関などの相談窓口などでは、銀行員と顧客とがテーブルを挟んで対面で話をする場合がある。
このとき、テーブル上には、タブレット端末を含むＰＣ、ＰＣからのデータを表示する表示装置、顧客が持参した資料やその場で署名した書類等を画像入力する入力装置などが設置されることがある。このような業務で使用される入力装置として、例えば、原稿面とは距離をおいて画像入力するスタンド式画像入力装置などがある。
【０００３】
ここに、原稿が例えば金融機関等で用いられる払い込み帳票である場合、払い込み帳票の処理としては、持ち込まれた帳票は画像入力装置により、原稿の画像がデジタルデータに変換され様々なデータが業務アプリケーションに渡される。
このような業務において、一旦前記画像入力装置を用いて画像が読み込まれてデータ処理された帳票には、読み込まれたことが人により明らかに認識することのできる目印を付すことが重複入力防止の見地から望ましい。特に、同じような帳票が複数存在する場合には、読み込み漏れや重複した読み込みといった誤りの発生を完全に防止することが難しい。
【０００４】
原稿の画像データを取り込むに際し、読み込み済みの原稿と未読み込みの原稿とを区別する業務に関連する技術として、下記の特許文献１〜３に示されたものがある。
特許文献１は、読み取り装置内に取り込まれた原稿が装置内を搬送される途中で、送信済みとのスタンプを押すものである。
特許文献２は、伝票に登録済みとの印を付けて未登録の伝票と区別する概念を示唆している。
特許文献３は、伝票自体に接触することにより、自動的に動作して伝票に印を付けるものである。
特許文献４は、画面に接触することにより、データを入力するものである。
【先行技術文献】
【特許文献】
【０００５】
【特許文献１】特開昭６４−０１７５５７号公報
【特許文献２】特開昭６１−１４５６８７号公報
【特許文献３】実用新案登録第３０７５０４４号公報
【特許文献４】特開２００６−０１９９１９号公報
【発明の概要】
【発明が解決しようとする課題】
【０００６】
しかしながら、特許文献１の技術は、装置内に取り込まれて搬送される原稿へ印を付すものであって、また特許文献２の技術は、具体的に印を付す構成が明らかではなく、いずれも、現に利用者の面前に存在する伝票等に取り込み済みの印を直接的に付す際に使用することができるものではない。
さらに、引用文献３、４に開示された技術は、単に印を付す構成を断片的に開示するに過ぎず、伝票等の画像の二重取り込みを防止するために直ちに適用することができるものではない。
【０００７】
この発明は、上述した事情に鑑みてなされたものであって、伝票等の原稿から画像を取り込むに際して、二重取り込みを防止しつつ確実に取り込みを確認することを目的とする。
【課題を解決するための手段】
【０００８】
上記課題を解決するために、この発明は以下の手段を提案している。
本発明の第１態様に係る画像入出力装置は、読み取り対象が載置される原稿載置部と、該原稿載置部に載置された読み取り対象を撮像して画像データを取得する画像入力部と、前記読み取り対象と交差する方向への力が加わることにより操作されるスイッチと、該スイッチからの信号によって前記画像入力部の画像データ取得動作を制御する制御部とを有する。
【０００９】
本発明の第２態様に係る画像入力方法は、原稿載置部に載置された読み取り対象を撮像して画像データを取得する撮影工程と、前記原稿載置部載置された読み取り対象と交差する方向への力が加わることを検出する荷重検出工程と、該力が加わったか否かの信号によって前記画像データの取得を制御する制御工程とを有する。
【００１０】
本発明の第３実施態様に係る入力装置は、画像入力読み取り対象が載置される原稿載置部に載置された読み取り対象を撮像して画像データを取得する画像入力部を制御する制御部に制御信号を入力する入力装置であって、前記原稿載置部の前記読み取り対象に読み取り対象と交差する方向への力が加わることにより操作されるスイッチと、前記読み取り対象に接触することによって前記スイッチを操作する接触部とを有する。
【発明の効果】
【００１１】
本発明によれば、読み取り対象に対して、読み取り済みを示すための何らかの操作が行われたことが、人に認識し得る態様にて読み取り対象に表示されたことを条件として、有効に画像が取り込まれる。
【図面の簡単な説明】
【００１２】
【図１】本発明の第１実施形態の概略構成図である。
【図２】本発明の第２実施形態の外観を示す斜視図である。
【図３】図２の鎖線IIIで囲んだ部分を拡大した動作説明図である。
【図４】本発明の第３実施形態の外観を示す斜視図である。
【図５】図４の鎖線Ｖで囲んだ部分を拡大した動作説明図である。
【図６】本発明の第４実施形態の外観を示す斜視図である。
【図７】図６の鎖線ＶＩＩで囲んだ部分を拡大した動作説明図である。
【図８】本発明の第５実施形態の外観を示す斜視図である。
【図９】図８の鎖線ＩＸで囲んだ部分を拡大した動作説明図である。
【図１０】図７の凹凸スイッチ部の拡大図である。
【図１１】各実施形態の制御動作の第１変形例を示すフロー図である。
【図１２】各実施形態の制御装置の第２変形例を示すフロー図である。
【図１３】本発明の第６実施形態の外観を示す斜視図である。
【図１４】図１３の発光部の拡大図である。
【図１５】本発明の第７実施形態の外観を示す斜視図である。
【図１６】図１５の鎖線ＸＶＩで示す範囲の拡大図である。
【発明を実施するための形態】
【００１３】
図１を参照して、本発明の最小構成にかかる第１実施形態を説明する。
この画像入力装置１は、読み取り対象としての原稿２が載置される原稿載置部３と、該原稿載置部に載置された読み取り対象２を撮像して画像データを取得するカメラ等の画像入力部４と、前記原稿載置部３の前記原稿２と交差する方向、例えば図１に矢印Ｚで示す上下方向、への力が加わることにより操作されるスイッチ５と、このスイッチ５からの信号によって前記画像入力部４の画像データ取得動作を制御する制御部６とを有する。なお前記画像入力部４に取り込まれた画像データは、画像信号処理部（図示略）によって、記憶、認識、投影等の処理が行われる。
【００１４】
この実施形態の画像入力装置１の動作とともにその作用を説明する。
操作者が原稿載置部３に原稿２を載せ、例えば、原稿２に捺印するか、または、ペン等を使って押す、文字を書き込むなど、何らかの形で原稿２を押す操作をすると、スイッチ５が信号を制御部６に供給し、スイッチ５が操作されたことを条件として、例えば画像データの入力を開始することができる。あるいは、すでに取り込まれた画像データを有効なものとしてメモリに記憶する等の処理をしても良い。
【００１５】
図２および３は本発明の第２実施形態を示すものである。なお前記第１実施形態と共通の構成要素には同一の符号を付し、説明を簡略化する。
原稿載置部３は、平面状に形成された上面板３０１に原稿２が載置される。前記上面板３０１は、業務上、使用される可能性のある原稿、例えば銀行の払い出し請求書のような帳票の内、最大寸法のものを載せることができる形状に形成されている。また上面板３０１の上部の互いに直交する二辺に沿って、上面板３０１から突出する第１の縁部３０２、第２の縁部３０３が形成されている。これらの縁部３０２、３０３は、前記原稿２を例えば図２の矢印ｘ方向およびまたはこれと直交する方向へ押し当てることによって、操作者が原稿２を原稿載置部３上で所定の位置に位置決めすることができるようになっている。
【００１６】
前記上面板３０１の上部であって、（読み取りが行われ得る最小寸法の）原稿２を第１、第２の縁部３０２、３０２に押し当てた状態で該原稿２と重なり得る位置には、上面板３０１を貫通する貫通孔３０４が形成され、この貫通孔３０４には、図２の上下方向（上面板３０１と交差する方向）を作動方向とするスイッチ５の切替操作部５０１が設けられている。すなわち、ペン等のような先端７ａがとがった（少なくとも前記貫通孔３０４より小さい外形とされた）操作片７によって原稿２を押すと、その下の凹部（切替操作部）５０１を介して前記原稿２が上面板３０１の面より下方まで曲がり、さらには、操作片７を操作する手指の力が円錐状の凹部を備えた切替操作部５０１へ下向きの力を作用させ、その下方に連結されたスイッチ本体５０２を作動させる。スイッチ本体５０２は、この操作により、例えば、ＯＮまたはＯＦＦの２値の信号（以下単に信号と称す）を発生する。
【００１７】
またスイッチ本体５０２は、例えば外力を受けて接点を機械的に開閉する構造のものが採用されている。実施形態の場合、スイッチ本体５０２は、ばね等により切替操作部５０１を図２の上方へ付勢していて、前記切替操作部５０１を押し下げる操作の後、押し下げ力がなくなることによって、元の位置、すなわち原稿載置部３の上面板３０１の位置まで復帰することができるよう構成されている。なお、前記貫通孔３０４と、この貫通孔３０４から下方へ向けて設けられた切替操作部５０１とに代えて、上面板３０１より下方へ撓んで前記スイッチ本体５０２を操作すべく窪むゴム膜等の部材を設け、このゴム膜等を介して前記操作片７の先端７ａをスイッチ本体５０２に直接接触させるようにしても良い。
【００１８】
一方、前記原稿載置部３の端部には、上方へ伸びるスタンド部４０１が設けられ、このスタンド部４０１の上端に前記画像入力部４が設けられて、前記原稿載置部３上の原稿２から画像を読み取るようになっている。前記画像入力部４は、前記スイッチ５の切替操作部５０１が操作されてスイッチ本体５０２が動作した旨の信号が制御部６へ入力されると、制御部６からの制御信号に基づき、前記原稿載置部３上の原稿２の画像を読み取る。ここで、スイッチ本体５０２からの信号を受けた後、所定時間経過した後（例えば、原稿２を操作片７によって押して穴２０１を空けた操作者が、その手指を原稿載置部３の読み取り領域外に出すに十分な時間経過後）に読み取りを開始することにより、原稿２を操作片７によって押した操作者の手指が画像入力部４に画像として読み取られることによる読み取り不良を防止することができる。なお、すでに画像入力部４が原稿２の画像を読み取った後、読み取り完了を認識した操作者が前記穴２０１を空ける操作が完了してスイッチ本体５０２が動作したことを条件として、既に読み取られた画像を有効と判断して記憶手段（図示略）に記憶させる、あるいは表示装置へ出力する等処理を行うようにしても良い。
【００１９】
上記構成の第２実施形態の動作とともにその作用を説明する。
操作者が、画像入力対象としての原稿２である紙葉類を原稿載置部３に載せ、前記貫通孔３０４、すなわち凹部５０１の上に置く。
次に、画像入力を開始するためには、図３（Ａ）に示すように、前記貫通孔３０４の穴径よりも径の小さく、操作片７、より詳細には、前記切替操作部５０１まで到達し得て、原稿２である紙葉類を突き破ることが可能な先端が尖っているペン状の棒７を、前記の凹部５０１を覆っている原稿２の上から押下する。
この原稿２は、図３（Ａ）に示すように、操作片（棒、例えばペン）７の先端部７ａが上から押しあてられると、前記先端部７ａにより突かれ、さらに原稿２は、棒７の先端部７ａによって突き破られて図３（Ｂ）に示すように穴２０１を穿孔し、かつ、同時に、切替操作部５０１が押されて、貫通孔３０４の下方に設けられている前記スイッチ５のスイッチ本体５０２がＯＮに切替られる。
この操作によって形成された穴２０１の穿孔跡（必ずしも貫通している必要はなく、原稿２に形成された窪みでも良い）は、実際に原稿２が原稿載置部３に置かれて画像入力がされた目印となり、人の視覚、あるいは手指の触覚により、原稿２を原稿載置部３から取り除いた後にも、読み取り済みであることを容易に認識することができる。
また、この実施形態では、前記スイッチ５がＯＮ状態となったことによって、前記画像入力部１の動作を開始するきっかけとなり、画像入力動作が開始される。
【００２０】
図４および５は本発明の第３実施形態を示すものである。なお前記第１、２実施形態と共通の構成要素には同一の符号を付し、説明を簡略化する。
この第３実施形態は、画像入力部４と、原稿２を置く原稿載置部３と、画像入力部４からの画像信号を処理する制御部６とを備える。この実施形態については、原稿載置部３に設けた凹部（第２実施形態にかかる図２の円錐状の切替操作部５０１）に代わり、原稿載置部３に置かれた原稿２である紙葉類を押し当てることにより、凹凸跡を付ける凹凸状の突起５０３を備えた切替操作部（凹凸スイッチ部）５０４を設けている。この切替操作部５０４は、前記原稿載置部３の上面に露出した状態で設けられて、その下方のスイッチ本体５０２を図４の下方（図５に矢印Ｚで示す方向）へ押し下げ、電気信号の開閉を行うよう構成されている。すなわち、この第３実施形態のスイッチ５Ａはこれらスイッチ本体５０２、突起５０３、切替操作部５０４を備えている。
【００２１】
上記構成の第３実施形態の動作とともにその作用を説明する。
図５（Ａ）に示すように、操作者が、原稿載置部３に設けたスイッチ５Ａの切替操作部５０４の上に、原稿２である紙葉類を覆いかぶせ、画像入力を行うに際し、原稿２を手指等で押すと、前記突起５０３の凹凸によって膨らんでいる部分が作業者の手指との間で変形する。すなわち、図５（Ｂ）に示すように、突起５０３の凹凸形状に対応した皺などの凹凸跡２０２が原稿２に生じる。また操作者の指との間に原稿２を挟んで押下された切替操作部５０４は、押し下げられてスイッチ本体５０２を切替操作する。すなわち、押し下げられた変位、あるいは押し下げる力が、下部に設けていたスイッチ本体５０２に伝わり、電気信号の開閉によりＯＮ動作する。同時に、原稿２の下面は切替操作部５０４の突起５０３に上から押し付けられているために、原稿２の下面から上面へ盛り上がった凹凸状の皺等の凹凸跡２０２が残る。そして、原稿２の表面に残された凹凸跡２０２により、画像入力がなされた目印となる。
また、制御部６は、スイッチ５ＡのＯＮ状態の信号を受けて、これを前記の画像入力部１の動作を開始するきっかけとして、ＯＮ状態の信号の入力から所定時間経過を待って、画像入力動作を開始する。あるいは、すでに入力された画像を有効なものとして記憶、送信等の処理をする。
【００２２】
図６、７は本発明の第４実施形態を示すものである。なお前記第１〜３実施形態と共通の構成要素には同一の符号を付し、説明を簡略化する。
第４実施形態における画像入力部４と、原稿２を置く原稿載置部３と、画像入力部４からの画像信号を処理する画像信号処理部（図示略）を備える点においては、他の実施形態と共通である。
この第４実施形態については、原稿載置部３に設けた凹部を利用したスイッチ５や、凹凸突起を利用したスイッチ５Ａに代わり、作業者が容易に保持することができる大きさを有し、紙葉類に押下することで印影２０３が転写する印鑑状のスイッチ５Ｂを備える。このスイッチ５Ｂは、筒状のボディ５０５に、押下するときの紙葉類（原稿２）への力あるいは変位により電気信号が開閉するスイッチ本体５０６、５０７を備えている。これらのスイッチ本体５０６、５０６は、筒状のボディ５０５の軸線方向に重なるように配置されていて、矢印Ｚ方向への力によって同時に動作することができる。また前記ボディ５０５の下面には、凹凸状突起５０８が設けられ、この凹凸状突起５０８の凹凸が、印鑑の印面としての機能を果たして、実際に原稿２に印影２０３を印すことができるようになっている。
【００２３】
前記スイッチ本体５０６は、捺印に際して、手指によってスイッチ５Ｂの上端を図７の矢印Ｚ方向へ押す操作によって操作される。また、スイッチ本体５０６は、印鑑部５０８が原稿２に押し付けられる際の反力によって操作される。また、スイッチ本体５０６と５０７とは、直列に接続されていて、これらスイッチ本体５０６、５０７の両方がＯＮ（またはＯＦＦ）に開閉されることによって、原稿２へ捺印された旨の信号が制御部６へ供給されるようになっている。
【００２４】
上記印鑑状のスイッチ５Ｂの動作とともに、その作用を説明する。
操作者が原稿２を原稿載置部３に置き、スイッチ５Ｂの上部を持って印鑑部５０８を押し付け、押し付ける操作とともに、あるいは、画像入力開始の意志により、手指により、上側のスイッチ本体５０６を押す。この押す操作により、印鑑部５０８が原稿２から反力を受けて下側のスイッチ本体５０７も押されて、ほぼ同時に開閉動作する。制御部６は、これらのスイッチ本体５０６、５０７が同じ開閉状態となるａｎｄ条件を受けて、画像入力部４を操作し、画像の取り込み開始（あるいは画像データの有効化）等の処理を行う。
【００２５】
なお図示の場合、上下に二つのスイッチ本体５０６、５０７を設けたが、手指により下方へ向かう力、原稿からの反力により上方へ向かう力の少なくとも何れかを受けて開閉動作する一つのスイッチ本体を用いる方式としても良い。また、スイッチ本体５０６、５０７は、通常の接点を機械的に操作する方式の他、捺印にともなって印鑑部５０８が受ける圧力により動作する圧電スイッチ、あるいは、ボディ５０５の頭部が指で押さえられ、あるいは、印鑑部５０８が原稿２によって覆われることにより動作する光源からの光線の遮断を検出する光電スイッチ等、他の動作方式のスイッチを用いることもできる。
【００２６】
図８、９は本発明の第５実施形態を示すものである。なお前記第１〜４実施形態と共通の構成要素には同一の符号を付し、説明を簡略化する。
本発明による第５実施形態は、第１〜４実施形態の構成に加え、さらに、紙葉類が置かれていることを検知する原稿検知器５Ｃを原稿載置部３に有する。この原稿検知器５Ｃの位置は、原稿載置部３に置かれる可能性のある原稿（帳票類）２のうち、最小の寸法のものが覆うことができる領域に設定されている。
前記原稿検知器５Ｃとしては、発光素子５ａとして赤外領域の波長光を放つ光源としてのＬＥＤと、原稿２の裏面で反射してきた反射光を受光する光センサ素子５ｂとを有する検出器（発光、受光の光路を矢印Ｌで示す）、あるいは、原稿２としての紙葉類の有無によって変化する静電気を検出する検出器を用いることができる。また原稿載置部３には、第３実施形態で説明した構成と共通の突起５０３を有する切替操作部５０４が設けられている。
【００２７】
上記第５実施形態の動作とともにその作用を説明する。
原稿載置部３に原稿２が置かれた場合、前記原稿検知器５Ｃによって、原稿２が置かれたことが検知される。その後、前記切替操作部５０４の突起５０３に原稿が押し付けられて、凹凸跡２０２が形成されるとともに、スイッチが開閉動作した旨の信号を受け、その時に前記原稿検知器５Ｃによる原稿２の検出とのａｎｄ条件が成立したことを条件として、画像入力部４による画像の取り込みを開始し、あるいは、画像入力部４によって取り込まれた画像を有効な画像データとする。こうすることによって、画像入力の動作と現に原稿２の画像が取り込まれた旨の確認とをより確かなものにすることができる。
【００２８】
図１１は、各実施形態の画像入力装置の制御動作の第１変形例を示すフロー図である。
作業者が原稿２を原稿載置部３の所定位置に置くと（ＳＰ１１）、原稿入力装置が、原稿２が原稿載置部３に置かれていることを原稿検知器５Ｃが検出した信号を受け（ＳＰ２１）、次いで、画像入力のため、操作者が原稿２を切替操作部５０４の突起５０３に押し付けることによって（ＳＰ１２）、スイッチ本体（図８において図示略）が開閉操作され、画像入力装置４が、画像入力を開始させる信号を受ける（ＳＰ２２）。
【００２９】
その後、しばらく経過させる（所定時間の経過を待つ）。すなわち、原稿入力装置は、第２実施形態における操作片７を原稿２から離すに十分な時間（ＳＰ１３）、第３、５実施形態における突起５０３へ原稿２を押し付けることをやめ、原稿２が戻るまでの時間、さらには、第４実施形態において、原稿検知器５Ｂとしの印鑑を原稿２から離すために十分な、例えば１秒以下の短い時間が経過するのを待つ（ＳＰ２３）。さらに、画像入力装置は、継続して原稿２が置かれているかを原稿検知器５Ｃからの検出信号により確認し（ＳＰ２４）、原稿２が所定時間継続して原稿載置部３に置かれていることが確認されると、取り込まれた画像を有効なものとしてアプリケーションへ送信し、あるいは、記憶手段に書き込むと（ＳＰ２５）、画像取り込み動作が終了する（ＳＰ２６）。なお、原稿２が所定時間経過前に取り除かれた場合は、ＳＰ２１へ戻って再度原稿２の入力動作を繰り返す。
【００３０】
一方、作業者は、所定時間経過後に原稿２を取り去り（ＳＰ１４）、画像入力操作を終了する（ＳＰ１５）。
このように一定の時間の経過を待つことによって、第２〜第５実施形態で使用された種々のスイッチを操作している作業者の手と先端が尖った棒、作業者の手、あるいは手と印鑑スイッチとが、画像入力の視野に存在しなくなる状態まで待つことができ、正常に画像入力が終了した帳票等の原稿２へ、確実に終了を示す痕跡を残すことができる。
【００３１】
さらに図１２は、制御動作の第２変形例を示すフロー図である。
本動作例では、原稿２が原稿載置部３に置かれると、その旨を検出し（ＳＰ３１、ＳＰ４１）、本発明による第２〜５実施形態にあるスイッチ５、５Ａ、等が開閉され、画像入力装置４が画像入力を開始させる信号を受けて（ＳＰ４２）、画像入力を行う（ＳＰ３２）。
入力画像に対しては、画像入力の際の凹部５０１への先端７ａが尖った棒７と、これを操作する手、あるいは、凹凸部５０４の上に置かれた原稿２を挟んで押下する手、あるいは、スイッチを有する印鑑部と作業者の手が残っているかどうかを検出する（ＳＰ４３）。
【００３２】
これら、原稿２を遮る物体が画像解析等によって検出された場合には（ＳＰ４４）、画像入力を継続し、作業者の手が対比しあるいはスイッチを有す印鑑が検出されなくなり（ＳＰ３３、ＳＰ４４）、原稿２を原稿載置部３から取り去ると（ＳＰ３４）、画像入力作業が終了する（ＳＰ３６）まで繰り返す。検出されなくなった場合においては、この画像データを制御部で動作しているアプリケーションで使用する有効な画像データとし（ＳＰ４５）、画像入力動作を終了する（ＳＰ４６）。
このような処理フローを実行することにより、原稿画像の一部が、作業者の手やスイッチを有する印鑑部などに覆われることによる読み取り不良の発生を低減することができる。
【００３３】
図１３、１４は、本発明の第６実施形態を示すものである。なお、図中第１〜５実施形態と共通の構成要素には同一符号を付し、説明を簡略化する。
この第６実施形態は、これまでの実施形態の構成に加えて、さらに光を発する発光器８を備えることを特徴としている。
すなわち、図１３に示すように、原稿載置部３に凹部３０４を設けるあるいは、凹凸スイッチ部５０４を設ける場合には、その近傍で原稿２が被らない領域（原稿２によって覆われない領域）に発光部８を備える。なお、図１３にあっては、最小の原稿２の寸法を考慮して配置された凹凸スイッチ部５０４が存在する領域の近くに発光器８を設けたが、最大の原稿２によって覆われない領域、すなわち、凹凸スイッチ部５０４から離れた領域に発光器８を設けても良い。なお、発光器８が原稿２を透過するに十分な強さで発光することができる場合には、原稿２によって覆われる領域に発光器８を設けても良い。
図１３においては、凹凸スイッチ５０４の右端に設けた例として示す発光器８としては、ＬＥＤ等で可視光領域に光を発するものがある。
【００３４】
上記第６実施形態の動作とともにその作用を説明する。なお前記第１〜５実施形態と共通の構成要素には同一の符号を付し、説明を簡略化する。
前記発光器８は、原稿２が載置される領域より外から、原稿２によって覆われる凹凸スイッチ部等の切替操作部５０４の位置へ向けて、例えば矢印状の形状で点灯、あるいは点滅する。この発光器８の動作によって、原稿２へ凹凸痕等の入力済みを表示するための凹部や凹凸スイッチ部等の位置を示すとともに、操作者に注意を促す作用をなす。詳細には、図１４に示すように、凹凸スイッチ部５０４に対して発光器８を設ける。また、その動作タイミングは、画像入力部４が原稿から画像の取り込みを開始するより少し前から、画像の取り込みを完了する少し後まで、あるいは、凹部や凹凸スイッチが押されてスイッチが開閉された直後まで、など、操作性を考慮して適宜設定される。
【００３５】
本第６実施形態の動作としては、原稿の画像入力を行う際に原稿が一度読み込まれた目印が必要な業務、あるいは同じ原稿を二度読んではならない業務である場合おいて、本第６実施形態による発光器８を点燈あるいは点滅させる。そして、原稿の画像を読込み、問題がなければ消灯。読み込みに問題があり再度読込が必要な場合には、高速点滅させるなど、操作者に対応を促す役目を果たす。
画像入力を開始させるスイッチには、キーボード、マウス、そして本発明におる印鑑スイッチ等、複数の方式を適用することができる。このため、目印をつけるべき作業について、作業者を別の作業をしてしまう誤りを低減することができる。
【００３６】
図１５、１６は、本発明の第７実施形態を示すものである。なお、図中第１〜６実施形態と共通の構成要素には同一符号を付し、説明を簡略化する。
この第７実施形態は、前記第４実施形態で使用された印鑑状のスイッチ５Ｂに対して、光を発する発光器８を備えたものである。
【００３７】
上記第７実施形態にあっては、制御部６によって発光器８の点滅、点等の動作を制御することにより、画像入力の開始との関連で最適な捺印のタイミング、あるいは、読み取り不良の発止等を操作者に報知することができる。
【００３８】
なお、上記各実施形態は、原稿載置部３の上方に画像入力部４を設けた構成を示したが、原稿載置部３の上方でかつ画像入力部４の近傍には、取得したイメージ画像データを投影用データとして原稿載置部３に向けて投影する投影手段を設けるようにしても良い。この場合、画像入力部と投影手段との間には、投影手段に対して、投影用データを原稿２上の記述情報に一致するように重ねて投影させる制御手段４が設けられる。
【００３９】
以上、本発明の実施形態について図面を参照して詳述したが、具体的な構成はこの実施形態に限られるものではなく、本発明の要旨を逸脱しない範囲の設計変更等も含まれる。
【００４０】
上記の実施形態の一部または全部は、以下の付記のようにも記載され得るが、以下には限られない。
【００４１】
（付記１）
読み取り対象が載置される原稿載置部と、
該原稿載置部に載置された読み取り対象を撮像して画像データを取得する画像入力部と、
前記原稿載置部上の読み取り対象に読み取り対象と交差する方向への力が加わることにより操作されるスイッチと、
該スイッチからの信号によって前記画像入力部の画像データ取得動作を制御する制御部と、を有する画像入力装置。
【００４２】
（付記２）
前記スイッチは、前記読み取り対象が前記力によって変形する際にその力によって操作される、
付記１に記載の画像入力装置。
【００４３】
（付記３）
前記原稿載置部における前記読み取り対象が設けられる領域に凹部が設けられ、この凹部と重なる位置に前記スイッチが設けられた、
付記１または２のいずれか１項に記載の画像入力装置。
【００４４】
（付記４）
前記スイッチは、前記読み取り対象の前記原稿載置部と反対側の面に押し付けられる部材に設けられ、該部材の前記読み取り対象に押し付けられる面には、凹部およびまたは凸部が設けられた、
付記１または２のいずれか１項に記載の画像入力装置。
【００４５】
（付記５）
前記スイッチは、先端が先細り状の操作部材を前記読み取り対象に押し付けることによって操作される、
付記１〜３のいずれ１項に記載の画像入力装置。
【００４６】
（付記６）
前記スイッチは、前記読み取り対象が前記力によって破れる際にその力によって操作される、
付記２〜５のいずれか１項に記載の画像入力装置。
【００４７】
（付記７）
前記原稿載置部には、スイッチの位置を示す表示部が設けられた、付記１〜３、５のいずれか１項に記載の画像入力装置。
【００４８】
（付記８）
前記表示部は、読み取り対象を通過する光を発する、付記７に記載の画像入力装置。
【００４９】
（付記９）
前記制御部は、前記スイッチから信号が入力された後、所定時間経過後に前記画像入力部に画像入力を開始させる、付記１〜８のいずれか１項に記載の画像入力装置。
【００５０】
（付記１０）
原稿載置部に載置された読み取り対象を撮像して画像データを取得する撮影工程と、
前記原稿載置部上の読み取り対象と交差する方向への力が加わることを検出する荷重検出工程と、
該力が加わったか否かの信号によって前記画像データの取得を制御する制御工程と、
を有する画像入力方法。
【００５１】
（付記１１）
読み取り対象が載置される原稿載置部に載置された読み取り対象を撮像して画像データを取得する画像入力部を制御する制御部に制御信号を入力する入力装置であって、
前記原稿載置部上の読み取り対象と交差する方向への力が加わることにより操作されるスイッチと、
前記読み取り対象に接触することによって前記スイッチを操作する接触部と、
を有する入力装置。
【産業上の利用可能性】
【００５２】
本発明は、原稿上の記述情報をイメージ画像データとして取り込む画像入力装置に関する。
【符号の説明】
【００５３】
１  画像入力装置
２  原稿
３  原稿載置部
４  画像入力部
５、５Ａ、５Ｂ  スイッチ
５Ｃ  原稿検知器
５ａ  発光素子
５ｂ  光センサ素子
６  制御部
７  操作片（棒）
７ａ  先端部
８  発光部器
２０１  穴
２０２  凹凸跡
２０３  印影
３０１  上面板
３０２  （第１の）縁部
３０３  （第２の）縁部
３０４  穴
４０１  スタンド部
５０１  切替操作部（凹部）
５０２  スイッチ本体
５０３  突起
５０４  切替操作部（凹凸スイッチ部）
５０５  ボディ
５０６、５０７  スイッチ本体
５０８  印鑑部（凹凸状突起）
【図１】
2018174424.tif 000003
【図２】
2018174424.tif 000004
【図３】
2018174424.tif 000005
【図４】
2018174424.tif 000006
【図５】
2018174424.tif 000007
【図６】
2018174424.tif 000008
【図７】
2018174424.tif 000009
【図８】
2018174424.tif 000010
【図９】
2018174424.tif 000011
【図１０】
2018174424.tif 000012
【図１１】
2018174424.tif 000013
【図１２】
2018174424.tif 000014
【図１３】
2018174424.tif 000015
【図１４】
2018174424.tif 000016
【図１５】
2018174424.tif 000017
【図１６】
2018174424.tif 000018
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
読み取り対象が載置される原稿載置部と、
該原稿載置部に載置された読み取り対象を撮像して画像データを取得する画像入力部と、
前記原稿載置部上の読み取り対象に読み取り対象と交差する方向への力が加わることにより操作されるスイッチと、
該スイッチからの信号によって前記画像入力部の画像データ取得動作を制御する制御部と、を有し、
前記スイッチは、前記読み取り対象が前記力によって変形する際にその力によって操作される、
画像入力装置。
【請求項２】
前記原稿載置部における前記読み取り対象が設けられる領域に凹部が設けられ、この凹部と重なる位置に前記スイッチが設けられた、
請求項１に記載の画像入力装置。
【請求項３】
前記スイッチは、前記読み取り対象の前記原稿載置部と反対側の面に押し付けられる部材に設けられ、該部材の前記読み取り対象に押し付けられる面には、凹部およびまたは凸部が設けられた、
請求項１に記載の画像入力装置。
【請求項４】
前記スイッチは、先端が先細り状の操作部材を前記読み取り対象に押し付けることによって操作される、
請求項１または２のいずれか１項に記載の画像入力装置。
【請求項５】
前記スイッチは、前記読み取り対象が前記力によって破れる際にその力によって操作される、
請求項４に記載の画像入力装置。
【請求項６】
前記原稿載置部には、スイッチの位置を示す表示部が設けられた、請求項１、２、４、のいずれか１項に記載の画像入力装置。
【請求項７】
前記制御部は、前記スイッチから信号が入力された後、所定時間経過後に前記画像入力部に画像入力を開始させる、請求項１〜６のいずれか１項に記載の画像入力装置。
【請求項８】
原稿載置部に載置された読み取り対象を撮像して画像データを取得する撮影工程と、
前記原稿載置部上の読み取り対象と交差する方向への力が加わることを検出する荷重検出工程と、
該力が加わったか否かの信号によって前記画像データの取得を制御する制御工程と、
を有し、
前記荷重検出工程は、
前記読み取り対象が前記力によって変形する際の力を検出する、
画像入力方法。
【請求項９】
読み取り対象が載置される原稿載置部に載置された読み取り対象を撮像して画像データを取得する画像入力部を制御する制御部に制御信号を入力する入力装置であって、
前記原稿載置部上の読み取り対象と交差する方向への力が加わることにより操作されるスイッチと、
前記読み取り対象に接触することによって前記スイッチを操作する接触部と、
を有し、
前記スイッチは、前記読み取り対象が前記力によって変形する際にその力によって操作される、
入力装置。